(57)【要約】【課題】  複数組の多光軸光電センサを直列に接続して一つのライトカーテンとして動作させているときに、親機と子機の投光器同士を接続するケーブル及び／又は受光器同士を接続するケーブルが接続不良又は接続されていないことを判別する。【解決手段】  多光軸光電センサ１の子機接続用開口５Ａを覆うコネクタカバー１２に、コネクタカバー１２を装着したときと、未装着のときとで直列接続認識用端子１３ｅの論理値が変化するように構成されていると共に、コネクタカバー１２を装着したときには正常を示す論理値をとるようにしてあると共に、ケーブル７を接続したときも正常を示す論理値をとるようにしてある。【選択図】  図７
2006112982.tif 000002
【特許請求の範囲】
【請求項１】
投光器と受光器の組からなる多光軸光電センサが子機接続用コネクタと親機接続用コネクタとを有し、複数の多光軸光電センサをケーブルを使って直列に接続することにより各多光軸光電センサが相対的な接続関係から親機又は子機として動作し、これにより一つのライトカーテンとして使用することができる多光軸光電センサであって、
前記投光器又は受光器の少なくとも一方の前記子機接続用コネクタに設けられた直列接続認識用端子と、
該直列接続認識用端子の電位を、正常を示す第１電位と、異常を示す第２電位とに切り替え可能なスイッチとを有し、
該スイッチにより前記直列接続認識用端子に第２電位をとらせた状態で前記ケーブルにより他の多光軸光電センサと接続することで該直列接続認識用端子の電位が前記第１電位に変化し、
該直列接続認識用端子が第１電位のときに前記多光軸光電センサが正常に動作し、前記第２電位のときには異常信号を出力することを特徴とする多光軸光電センサ。
【請求項２】
前記スイッチがユーザによって操作されるマニュアルスイッチである、請求項１に記載の多光軸光電センサ。
【請求項３】
前記スイッチの操作部材が、前記子機接続用コネクタを覆うコネクタカバーで構成され、ユーザが該コネクタカバーを前記子機接続用コネクタに装着したときに前記直列接続認識用端子の電位が第１電位となり、コネクタカバーが未装着のときに前記直列接続認識用端子の電位が第２電位となる、請求項２に記載の多光軸光電センサ。
【請求項４】
投光器と受光器の組からなる多光軸光電センサが子機接続用コネクタと親機接続用コネクタとを有し、複数の多光軸光電センサをケーブルを使って直列に接続することにより各多光軸光電センサが相対的な接続関係から親機又は子機として動作し、これにより一つのライトカーテンとして使用することができる多光軸光電センサであって、
前記多光軸光電センサの投光器又は受光器の少なくとの一方に設けられ、前記多光軸光電センサにより前記ライトカーテンを構築したときの該ライトカーテンの初期状態を記憶するメモリと、
前記多光軸光電センサの内部又は外部からのトリガによって前記メモリに記憶されている前記ライトカーテンの初期状態と現在のライトカーテンの状態とを比較する比較手段と、
該比較手段により前記ライトカーテンの現在の状態が初期状態と異なっているときに異常信号を出力を出力手段とを有することを特徴とする多光軸光電センサ。
【請求項５】
前記メモリに、前記ライトカーテンの初期状態として該ライトカーテンの光軸数が記憶され、前記比較手段により、初期状態の光軸数と現在の光軸数とが比較される、請求項４に記載の多光軸光電センサ。
【請求項６】
前記メモリが不揮発性のメモリである、請求項４又は５に記載の多光軸光電センサ。
【請求項７】
投光器と受光器の組からなる多光軸光電センサが子機接続用コネクタと親機接続用コネクタとを有し、前記多光軸光電センサのコネクタに着脱自在に接続されるケーブルを使って複数の多光軸センサを直列に接続することにより各多光軸光電センサが相対的な接続関係から子機に電源及び同期信号の少なくとも一方を供給する親機又は前記親機に検出情報を供給する子機として動作し、これにより一つのライトカーテンとして使用することができる多光軸光電センサであって、
前記投光器又は受光器の少なくとも一方が、前記子機接続用コネクタに設けられた直列接続認識用の第１端子と、前記子機接続用コネクタに設けられた前記第１端子とは異なる第２端子と、前記親機接続用コネクタに接続される直列接続認識用の回路とを備え、
前記ケーブルが、前記直列接続認識用の第１端子に接続される第１導線と、前記第１導線とケーブル内で絶縁され、前記第２端子に接続される第２導線とを備え、
前記ケーブルが子機接続用コネクタと他の多光軸光電センサの親機接続用コネクタとに接続されることで、前記ケーブルの第１導線と、前記ケーブルの第２導線と、前記第１導線と第２導線とに接続される前記他の多光軸光電センサに設けられる前記直列接続認識用の回路とからなる接続回路により、前記第１端子と前記第２端子とが接続され、
前記多光軸光電センサが、前記ケーブルが接続時に正常の動作をし、前記ケーブルが非接続時には異常時の動作をすることを特徴とする多光軸光電センサ。
【請求項８】
前記多光軸光電センサは、前記ケーブルが接続時に前記接続回路に接続されることで、前記直列接続認識用の第１端子に正常を示す第１信号を供給し、前記ケーブルが非接続時に、前記直列接続認識用の第１端子に異常を示す第２信号を供給する信号回路を更に有する、請求項７に記載の多光軸光電センサ。
【請求項９】
前記直列接続認識用の回路が、前記第１導線と前記第２導線とを短絡する回路である、請求項７又は８に記載の多光軸光電センサ。
【請求項１０】
前記多光軸光電センサが、前記直列接続認識用の回路と等価な回路を内蔵するコネクタカバーが前記子機接続用コネクタに接続されることで、前記等価な回路により前記第１端子と前記第２端子とが接続され、前記コネクタカバーが接続時に正常の動作をする、請求項７〜９のいずれか一項に記載の多光軸光電センサ。
【請求項１１】
前記多光軸光電センサが、子機として最も端に配置される多光軸光電センサの子機接続用コネクタに前記コネクタカバーが接続され、相対的に親機として配置される多光軸光電センサの子機接続用コネクタと、対応する子機との親機接続用コネクタに前記ケーブルが接続された場合に正常の動作をし、前記コネクタカバー及び前記ケーブルの少なくともいずれか一方が非接続の場合に異常時の動作をする、請求項１０に記載の多光軸光電センサ。
【請求項１２】
前記多光軸光電センサが、前記第１端子と前記第２端子とを短絡可能な機械的なスイッチを備え、前期多光軸光電センサが、前記機械的なスイッチにより前記第１端子と前記第２端子とを短絡することにより正常の動作をする、請求項７〜９のいずれか一項に記載の多光軸光電センサ。
【発明の詳細な説明】
【技術分野】
【０００１】
本発明は多光軸光電センサに関するものである。
【背景技術】
【０００２】
危険エリアの中に物体（例えば作業者の手や指）が侵入したのを検出する保安装置として多光軸光電センサが多用されている。多光軸光電センサは、複数の投光素子を備えた投光器と、これに対応した複数の受光素子を備えた受光器との組で構成される。多光軸光電センサは、特許文献１に記載のように、タイミング回路と、投光素子又は受光素子毎に設けられた駆動回路とを有し、順次、一つずつ投光素子を動作させて光ビームを発射させると共に、これに同期して対応する受光素子をアクティブにし、この受光素子が光ビームを受け取ったことを確認した後に所定のタイミングで次の投受光が行われる。そして、受光素子が光ビームを受光しないときには遮光信号が多光軸光電センサから出力される。すなわち、多光軸光電センサは、ライトカーテンとも呼ばれ、このライトカーテンを構成する数多くの光軸の何れかが遮光されると遮光信号を出力して、警報を発したり、危険エリア内に設置したプレス機械や作業ロボットなどの動作を停止させることができる。
【０００３】
危険エリアを仕切るのに一組の多光軸光電センサでは不足するときには、複数組の多光軸光電センサを直列に接続して、これを一つのライトカーテンとして使用するのが一般的である。近時の多光軸光電センサは、特許文献１〜３に記載のように、各組の投受光器毎に制御回路（ゲートアレイ又はＣＰＵ）を内蔵し、多光軸光電センサ同士を専用ケーブルで接続するだけで、各多光軸光電センサが相対的な接続関係を自動認識して親機又は子機として動作するように設計されている。すなわち、近時の多光軸光電センサは、親機専用又は子機専用として設計されるのではなく、使用態様によって親機又は子機として動作するように設計されており、例えば２組の多光軸光電センサを直列に接続して、これを１つのライトカーテンとして使用した場合、一方の多光軸光電センサが親機として動作して遮光信号を外部に出力し、他方の多光軸光電センサが子機として動作して遮光信号を親機に供給し、これを受け取った親機が外部に遮光信号を出力する。
【特許文献１】特開平１１−３４５５４８号公報
【特許文献２】ＷＯ９８／０１５０５１６（日本特許第３４６５２６３号）
【特許文献３】特開２００２−３０３６８４号公報
【発明の開示】
【発明が解決しようとする課題】
【０００４】
例えば２組の多光軸光電センサを直列に接続して一つのライトカーテンを作った場合、２つの投光器同士の接続が正常であるものの、２つの受光器同士を接続するケーブルが何らかの原因で外れている場合には、子機の受光器が動作しない状態で親機の受光器だけが動作する。他方、２つの投光器は正常に動作して、これに含まれる数多くの投光素子から順次光ビームが発射されることになる。このような場合には、受光器側の子機が動作しない状態になっていることから、子機の投光器から光ビームが発射されたとしても子機の受光器が受光しないため、多光軸光電センサは遮光信号を出力することになり、これにより２組の多光軸光電センサから構成されたライトカーテンに何らかの異常が発生してることを知ることができる。上記の場合と逆の場合、つまり受光器同士の接続が正常である一方で投光器同士を接続するケーブルが何らかの原因で外れている場合も同様である。
【０００５】
また、別の方法として、電源投入時もしくは動作中に、投光／受光素子切り替え回路（光軸切り替え回路）から出力される光軸数に関する情報を元に、投光器の親機／子機の光軸数、受光器の親機／子機の光軸数を求め、それぞれ対応する投光器／受光器の光軸数が一致しているかどうかを判別し、不一致の場合にはエラーと認識しロックアウト状態（エラーによる遮光信号の出力）とするように構成することで一方の接続ケーブルの外れを知ることもできる。
【０００６】
しかし、２組の多光軸光電センサを構成する投光器同士及び受光器同士が共に何らかの原因で接続不良になっている場合、例えば、工事や危険エリア内に設置された例えばプレス機の整備などのために投光器同士を接続するケーブル及び受光器同士を接続するケーブルを共に外して作業を行い、この作業が完了した後に接続し直すのを忘れた場合には、親機を構成する多光軸光電センサは子機無しで設置されたと自己認識して、子機が全く動作しないにも関わらず、親機だけで動作することになる。
【０００７】
したがって、本来であれば２組の多光軸光電センサで構成されているライトカーテンであるにも関わらず、子機の部分が完全に無効になっている事実を知らないままに放置されて、２組の多光軸光電センサで構成されたライトカーテンであるとの認識の下で使用され続ける虞がある。
【０００８】
ここに、親機と子機との関係は相対的なものであり、２組の多光軸光電センサで一つのライトカーテンを作ったときには、外部に遮光信号を出力する多光軸光電センサが親機であり、この親機に接続された多光軸光電センサが子機ということになる。３組の多光軸光電センサで一つのライトカーテンを作ったときには、外部に遮光信号を出力する一の多光軸光電センサが、これに接続された他の多光軸光電センサとの関係で親機となり、当該他の多光軸光電センサが子機となり、子機から親機である上記一の多光軸光電センサに対して遮光信号を出力し、これを受けた上記一の多光軸光電センサが外部に対して遮光信号を出力する。また、当該他の多光軸光電センサは、これに接続された更に他の多光軸光電センサに対しては親機となり、当該更に他の多光軸光電センサは子機となる。そして、子機であるところの更に他の多光軸光電センサは、親機である上記他の多光軸光電センサに対して遮光信号を出力し、これを受けた当該他の多光軸光電センサは、当該他の多光軸光電センサに対して親機である前述の一の多光軸光電センサに対して遮光信号を出力し、当該一の多光軸光電センサが外部に遮光信号を出力する。
【０００９】
本発明の目的は、複数組の多光軸光電センサを直列に接続して一つのライトカーテンとして動作させているときに、親機と子機の投光器同士を接続するケーブル及び／又は受光器同士を接続するケーブルが接続不良又は接続されていないことを判別することのできる多光軸光電センサを提供することにある。
【００１０】
本発明の更なる目的は、子機が接続された使用形態であるか否かを自動認識することのできる多光軸光電センサを提供することにある。
【課題を解決するための手段】
【００１１】
上記の技術的課題は、本発明によれば、
投光器と受光器の組からなる多光軸光電センサが子機接続用コネクタと親機接続用コネクタとを有し、複数の多光軸光電センサをケーブルを使って直列に接続することにより各多光軸光電センサが相対的な接続関係から親機又は子機として動作し、これにより一つのライトカーテンとして使用することができる多光軸光電センサであって、
前記投光器又は受光器の少なくとも一方の前記子機接続用コネクタに設けられた直列接続認識用端子と、
該直列接続認識用端子の電位を、正常を示す第１電位と、異常を示す第２電位とに切り替え可能なスイッチとを有し、
該スイッチにより前記直列接続認識用端子に第２電位をとらせた状態で前記ケーブルにより他の多光軸光電センサと接続することで該直列接続認識用端子の電位が前記第１電位に変化し、
該直列接続認識用端子が第１電位のときに前記多光軸光電センサが正常に動作し、前記第２電位のときには異常信号を出力することを特徴とする多光軸光電センサを提供することにより達成される。
【００１２】
上記のスイッチは典型的にはユーザによって操作されるマニュアルスイッチであるのが好ましい。マニュアルスイッチをユーザに操作させることにより、ユーザが多光軸光電センサに子機を接続する意図があるのか否か知ることができる。ユーザが子機を接続する意図があるにも関わらず、ケーブルが接続されていないとき等では直列接続認識用端子の電位が第２電位をとる。多光軸光電センサは、ＣＰＵやゲートアレイなどの制御手段を含んでいることから、この制御手段を使って異常を判別することができる。異常と判別したときには、多光軸光電センサが本来的に有している出力手段により遮光信号を出力させるようにしてもよく、また、多光軸光電センサが表示手段を備えているときには、この表示手段によりユーザに異常を知らせるようにしてもよい。
【００１３】
子機接続用コネクタは、未使用のときには一般的にはコネクタカバーによって覆われる。このコネクタカバーを操作部材として上記のスイッチを操作させるのがよい。これにより、これまでの作業内容と同じ作業を行うだけで、ケーブルの接続状態を含めて正常な状態と異常な状態とを判別することができる。
【００１４】
本発明の他の観点によれば、上記の技術的課題を達成するために、
投光器と受光器の組からなる多光軸光電センサが子機接続用コネクタと親機接続用コネクタとを有し、複数の多光軸光電センサをケーブルを使って直列に接続することにより各多光軸光電センサが相対的な接続関係から親機又は子機として動作し、これにより一つのライトカーテンとして使用することができる多光軸光電センサであって、
前記多光軸光電センサの投光器又は受光器の少なくとの一方に設けられ、前記多光軸光電センサにより前記ライトカーテンを構築したときの該ライトカーテンの初期状態を記憶するメモリと、
前記多光軸光電センサの内部又は外部からのトリガによって前記メモリに記憶されている前記ライトカーテンの初期状態と現在のライトカーテンの状態とを比較する比較手段と、
該比較手段により前記ライトカーテンの現在の状態が初期状態と異なっているときに異常信号を出力を出力手段とを有することを特徴とする多光軸光電センサが提供される。
【００１５】
ライトカーテンの初期状態として好ましい情報としては、典型的には、ライトカーテンの光軸数を挙げることができるが、多光軸光電センサの数であってもよい。ライトカーテンの初期状態を記憶するメモリは、不揮発性のメモリであるのが最も好ましい。これにより、ライトカーテンの電源を落としてもメモリに記憶された情報を維持することが容易である。
【発明を実施するための最良の形態】
【００１６】
以下に、添付の図面に基づいて本発明の好ましい実施例を説明する。
【００１７】
図１は多光軸光電センサ１を示す。図示の多光軸光電センサ１は、互いに対をなす投光器と受光器との組で構成されるが、これら投光器と受光器は実質的に同一の外観を有している。多光軸光電センサ１は、アルミニウムの押し出し材で構成され且つ両端が開放した本体ケース２と、この本体ケース２の両端に配置された端部ケース３とで細長い外形形状が作られており、端部ケース３は、一端が開放し他端が閉鎖した形状を有し、プラスチック成形品や亜鉛又はアルミニウムのダイキャスト成形品から作られている。多光軸光電センサ１の内部には、本体ケース２と端部ケース３とに内蔵された投光素子又は受光素子が等間隔に配置されている。
【００１８】
多光軸光電センサ１の投光面又は受光面４は特定波長の光が通過することのできるフロントカバーで構成されており、このフロントカバー４を通じて、投光器から光ビームが出射され又は投光器からの光ビームが受光器に入光される。フロントカバー４は、本体ケース２に実質的に対応したメインカバー４ａと、端部ケース３に実質的に対応した端部カバー４ｂとで構成され、これらメインカバー、端部カバー４ａ、４ｂは別部品である。
【００１９】
端部ケース３はコネクタ用開口５を有し、各コネクタ用開口５は、端部ケース３の背面側から前面側に向けて開口しており、図２に示すように、外部コネクタ６を、多光軸光電センサ１の背面側に向けて押し込むことにより、ケーブル７を通じて図外の制御機器又は隣接する他の多光軸光電センサと接続することができる。
【００２０】
図１に戻って、多光軸光電センサ１の両端に設けられたコネクタ用開口５のうち一方のコネクタ用開口５Ａは子機を直列に接続するための子機接続用開口であり、他方のコネクタ用開口５Ｂは親機又は外部出力用の開口である。また、図１、図２において、参照符号８は、端部ケース３に形成された凹所を示し、この凹所８にケーブル７の端部が収容される。また、図１において、参照符号９はメインカバー４ａと端部カバー４ｂとの境界部分に配設された帯状の金属部品を示し、この帯状の金属部品９は図２では図示が省略されている。
【００２１】
図３は、３組の多光軸光電センサ１を直列に接続した例を示し、３組の多光軸光電センサ１にＡ、Ｂ、Ｃを付記して識別してある。同図において、各多光軸光電センサ１Ａ、１Ｂ、１Ｃを構成する投光器には参照符号１００及び及びこれにＡ、Ｂ、Ｃを付してあり、受光器には参照符号２００及びこれにＡ、Ｂ、Ｃを付してある。なお、３組の多光軸光電センサ１Ａ〜１Ｃを総称して説明するときには単に符号「１」を付して説明する。同様に、投光器１００Ａ〜１００Ｃ及び受光器２００Ａ〜２００Ｃについても、これを総称して説明するときには単に符号「１００」又は「２００」を付して説明する。専用ケーブル７で互いに直列に接続された３組の多光軸光電センサ１Ａ〜１Ｃは、一つのライトカーテンとして動作し、作業者の手や指或いは何らかの物体ＩＳが光軸を遮って遮光すると第１番目の受光器２００Ａからケーブル１０ａを通じて遮光信号が出力される。
【００２２】
図４は、多光軸光電センサ１の内部構造を示す。図４を参照して、投光器１００は、Ｎ個の投光素子１０１を駆動するＮ個の駆動回路１０２と、これらの駆動回路１０２を時分割でスキャンする投光素子切替回路１０３と、投光器１００を全体制御する投光器制御回路１０４とを備えている。投光器制御回路１０４は、ＣＰＵで構成されてもよいし、専用のゲートアレイで構成されてもよい。
【００２３】
投光器制御回路１０４には、クロック発生回路１０５からのクロック信号が入力され、Ｎ個の投光素子１０１を順次発光させる投光タイミングを生成し、これによりＮ個の投光素子１０１は、一つずつ所定のタイミングで発光する。
【００２４】
投光器１００は、更に、親機の投光器１００又は受光器２００との間での双方向の送受信を制御する第１投光器通信制御回路１０６と、子機の投光器１００との間での通信を制御する第２投光器通信制御回路１０７とを備えている。
【００２５】
他方、受光器２００は、Ｎ個の受光素子２０１を駆動するＮ個の駆動回路２０２と、これらの駆動回路２０２を時分割でスキャンする受光素子切替回路２０３と、増幅回路２０４と、受光器２００を全体制御する受光器制御回路２０５とを備えている。受光器制御回路２０５はＣＰＵで構成されてもよいし、専用のゲートアレイで構成されてもよい。
【００２６】
また、受光器制御回路２０５には、クロック発生回路２０６からの信号が入力され、Ｎ個の受光素子２０１を順次アクティブ状態にすることにより、対応する投光素子１０１からの光ビームを受光可能にする一方で、選択された受光素子２０１以外は受光不能にする。
【００２７】
受光器２００は、更に、投光器１００又は親機の受光器２００との間での双方向の信号の送受信を制御する第１受光器通信制御回路２０７と、子機の受光器２００との間の通信を制御する第２受光器通信制御回路２０８とを備え、受光制御回路２０５で生成された遮光信号は出力回路２０９を介して親機の受光器２００又は外部の例えばプレス機に送出され、これにより警報灯の点灯やプレス機の動作が停止される。
【００２８】
図３の接続例では、３組の多光軸光電センサ１Ａ〜１Ｃは、相対的な接続関係から、最も下の多光軸光電センサ１Ａの組が親機として動作し、真ん中の多光軸光電センサ１Ｂの組が、最も下の多光軸光電センサ１Ａに対して子機として動作する。真ん中の多光軸光電センサ１Ｂの組は、最も上の多光軸光電センサ１Ｃの組に対しては親機として動作し、最も上の多光軸光電センサ１Ｃは子機として動作する。
【００２９】
最も下の多光軸光電センサ１の投光器１００Ａは、先ず、投光器制御回路１０４で同期タイミングが生成され、この同期タイミングはケーブル１０ｂを介して、最も下の受光器２００Ａの受光器通信制御回路１０７を通じて受光器制御回路２０５に送られ、この最も下の多光軸光電センサ１Ａの投光器１００Ａ及び受光器２００ＡのＮ個の駆動回路１０２及びこれに対応する駆動回路２０２が一つずつ順に動作する。また、受光器制御回路２０５で生成された遮光信号は、出力回路２０９及びケーブル１０ａを通じて外部に供給される。
【００３０】
３組の多光軸光電センサ１Ａ〜１Ｃにおける投受光に関し、最も下の多光軸光電センサ１Ａから次の多光軸光電センサ１Ｂに投光及び受光のタイミング信号が供給され、真ん中の多光軸光電センサ１Ｂから次の最も上の多光軸光電センサ１Ｃに投受光のタイミング信号が供給され、これにより、３組の多光軸光電センサ１Ａ〜１Ｃで構成されるライトカーテンの全ての光軸が、順次、所定のタイミングで投受光を行う。そして、その過程で受光が行われなかったときには遮光信号が出力回路２０９によって出力される。
【００３１】
図５は、多光軸光電センサ１、１を専用のケーブル７で直列に接続することを図示しており、図６は、これに関連した結線図である。図５は、また、多光軸光電センサ１の子機接続用開口５Ａをコネクタカバー１２で覆うことが可能であることを図示しており、図７は、これに関連した結線図である。
【００３２】
多光軸光電センサ１の子機接続用開口５Ａに臨むセンサ側コネクタ１３は、電源用接続端子１３ａ、アース用接続端子１３ｂ、通信（＋）用接続端子１３ｃ、通信（−）用接続端子１３ｄの他に、子機接続の有無を検出するための直列接続認識用端子１３ｅを備え、直列接続認識用端子１３ｅに接続された識別用配線１４には識別用抵抗１５の一端が接続されている。他方、多光軸光電センサ１の親機接続用開口５Ｂに臨むセンサ側コネクタ１７は、電源用接続端子１７ａ、アース用接続端子１７ｂ、通信（＋）用接続端子１７ｃ、通信（−）用接続端子１７ｄの他に、アースされた接続端子１７ｅを備えている。
【００３３】
多光軸光電センサ１を直列に接続するケーブル７の両端のケーブル側コネクタ６は、上記接続端子１３ａ〜１３ｅ、１７ａ〜１７ｅに侵入可能なコネクタピン６ａ〜６ｅを備えている。
【００３４】
多光軸光電センサ１の子機接続用開口５Ａは、直列接続用ケーブル７のコネクタ６に代えて、コネクタカバー１２を受け入れることができる。コネクタカバー１２は、上記アース用接続端子１３ｂ、直列接続認識用端子１３ｅに接続可能なピン１２ａ、１２ｂを有し、これら２つの接続ピン１２ａ、１２ｂは内部配線１８によって結線されている。
【００３５】
以上の構成において、多光軸光電センサ１、１が直列接続用ケーブル７で互いに接続されたときには、親機側の子機接続用開口５Ａに臨むセンサ側コネクタ１３の直列接続認識用端子１３ｅがケーブル７を介して子機側のアースされた接続端子１７ｅと結線されることになり、したがって親機側の接続端子１７ｅは短絡されて、その電位がＧＮＤ電位つまり「Ｌ」となる。また、親機側の子機接続用開口５Ａにコネクタカバー１２が装着されたときには、コネクタカバー１２の接続ピン１２ａ、１２ｂ及び内部配線１８を介して、センサ側コネクタ１３の直列接続認識用端子１３ｅがアース用接続端子１３ｂと結線されて短絡され、これにより、親機側の直列接続認識用端子１３ｅはＧＮＤ電位つまり「Ｌ」となる。
【００３６】
これに対して、ケーブル７の両端のケーブル側コネクタ６、６のいずれか一方が外れているときには、親機側のセンサ側コネクタ１３の直列接続認識用端子１３ｅは未接続の状態となり、これにより直列接続認識用端子１３ｅの電位は「Ｈ」となる。ケーブル７が断線したときも同様に、直列接続認識用端子１３ｅの電位は「Ｈ」となる。
【００３７】
上記の態様を図３を参照して説明すると、ユーザは、３組の多光軸光電センサ１Ａ〜１Ｃを直列に接続してライトカーテンを構築する場合には、最も上の投受光器１００Ｃ、２００Ｃの子機接続用開口５Ａにコネクタカバー１２が装着される。この態様では、最も上の投受光器１００Ｃ、２００Ｃの直列接続認識用端子１３ｅは固定値つまりＧＮＤ電位となる（「Ｌ」）。コネクタカバー１２が未装着の状態では、投受光器１００Ｃ、２００Ｃの直列接続認識用端子１３ｅの電位は「Ｈ」となる。そして、最も上の投受光器１００Ｃ、２００Ｃに子機を接続することで、投受光器１００Ｃ、２００Ｃの直列接続認識用端子１３ｅはＧＮＤ電位となる（「Ｌ」）。したがって、このＧＮＤ電位を例えば投受光器１００Ｃ、２００Ｃの制御回路１０４、２０５に直接入力し、制御回路１０４、２０５によって正常な状態にあると判別させることできる。
【００３８】
他方、最も下の投受光器１００Ａ、２００Ａと、これに対する子機の真ん中の投受光器１００Ｂ、２００Ｂとを接続する２本のケーブル７の少なくとも一方のケーブル７が断線又はケーブル７の両端のコネクタ６、６の何れか一方が外れている場合には、親機である投受光器１００Ａ及び／又は２００Ａの直列接続認識用端子１３ｅの論理値は「Ｈ」となることから、これを利用して、例えば親機の投受光器１００Ａ、２００Ａの制御回路１０４、２０５によって異常と判定し、直ちに例えば遮光信号を出力することによりユーザに異常を知らせることができる。また、各多光軸光電センサ１が表示ＬＥＤなどの表示灯を備えているときには、この表示灯を点灯又は点滅させることでユーザに異常を知らせることができる。
【００３９】
上記の実施例によれば、多光軸光電センサ１の子機接続用開口５Ａを覆うコネクタカバー１２に、コネクタカバー１２を装着したときと、未装着のときとで直列接続認識用端子１３ｅの論理値が変化するように構成されていると共に、コネクタカバー１２を装着したときには正常を示す論理値をとるようにしてあると共に、ケーブル７を接続したときも正常を示す論理値をとるようにしてある。したがって、コネクタカバー１２が未装着で且つケーブル７が未接続であるということは、ユーザの意図とは異なる状態であり、この意図しない状態では、直列接続認識用端子１３ｅの論理値が異常を示す論理値をとるため、この論理値の変化を使うことでケーブル側コネクタ６の接続不良、未接続、ケーブル６の断線をユーザに知らせることができる。
【００４０】
すなわち、コネクタカバー１２を装着したときには、当該多光軸光電センサ１に関連した子機が存在していないとして動作させることができる。また、多光軸光電センサ１、１をケーブル７によって直列に接続したときに、この接続が正常であるときと、異常のときとで、親機の多光軸光電センサ１の直列接続認識用端子１３ｅが異なる論理値をとり、正常のときには「Ｌ」となり、異常のときには「Ｈ」となることから、この直列接続認識用端子１３ｅの電位の変化を使って、ケーブル７の接続不良又は未接続又はケーブル７が断線したことを検出することができ、これにより遮光信号を出力することでユーザに異常を知らせることができる。また、各多光軸光電センサ１が表示ＬＥＤなどの表示灯を備えているときには、この表示灯を点灯又は点滅させることでユーザに異常を知らせることができる。
【００４１】
また、制御回路１０４、２０５は、直列接続認識用端子１３ｅに供給される信号として、上述のような論理値Ｈ又はＬが供給されるか否かを判別する代わりに、光軸数に応じたタイミングでパルス信号が供給されるか否かを判定することにより異常を検出するようにしてもよい。
【００４２】
また、制御回路１０４、２０５が直列接続認識用端子１３ｅを直接監視する代わりに、直列接続認識用端子１３ｅが異常を示す論理値に基づいて、直列接続確認以外のエラーチェック回路にエラーを引き起こすような回路を設けてもよい。ここで、直列接続確認以外のエラーチェック回路とは、例えば、光軸数のチェック回路であり、各光軸の投光駆動回路又は受光駆動回路が正常に動作しているかのチェック回路等である。エラーチェック回路にエラーを引き起こすとは、例えば光軸数のチェック回路であれば、光軸のカウント数を減らす、あるいはカウント数を多光軸光電センサが許容する最大光軸数を超えるカウント数にする等である。このように、直列接続認識用端子１３ｅの監視を他のエラーチェック回路と共用することで、配線の引き回しが減り、制御回路１０４、２０５への負担が軽減する。
【００４３】
上記の構成は、投光器１００、受光器２００の双方に設けるのが最も好ましいが、何れか一方に設けるようにしてもよい。例えば、投光器１００だけに設けた場合には、投光器１００の親機と子機との間を接続するケーブル７の接続不良などは上記の構成により直ちに親機側で検出可能であり、他方、上記の構成を備えていない受光器２００側でケーブル７の接続不良などが発生しているときには、投光器１００との間で前述の光軸数の不一致に伴って出力される遮光信号によりユーザに異常を知らせることができる。
【００４４】
叙上のように、実施例の構成によれば、直列接続した親機と子機との接続が外れた場合には、これを親機側で検出することができ、これにより親機の表示灯の点灯、点滅や遮光信号を出力させることでユーザにライトカーテンの異常を知らせることができる。また、従来から使用されていたコネクタカバー１２の脱着や直列接続用のケーブル７の装着という従来から行われていた作業内容を変更することなく、子機の接続不良を直ちに検出することが可能であり、従来と同じ作業を行うだけで、親機と子機との未接続又は接続不良、ケーブルの断線に伴うライトカーテンの不完全な動作を未然に防止することができる。
【００４５】
以上、本発明の好ましい実施例を説明したが、本発明はこれに限定されることなく、下記の変形例を包含する。
（１）上記の実施例では、コネクタカバー１２に、アース用接続端子１３ｂ、直列接続認識用端子１３ｅに接続可能な接続ピン１２ａ、１２ｂを設けるようにしたが、これに代えて、多光軸光電センサ１の投光器１００又は受光器２００の少なくとも一方にディップスイッチのようなマニュアル操作によるスイッチを設け、子機を接続しないときと、子機を接続するときとでスイッチの切り替えを行うようにしてもよい。
【００４６】
（２）多光軸光電センサ１の投光器１００又は受光器２００の少なくとも一方に不揮発性のメモリを設け、ユーザが多光軸光電センサ１を使ってライトカーテンを構築した後に、例えばライトカーテンの電源投入やティーチングスイッチ或いは外部からの入力、もしくは別途接続したパーソナルコンピュータやハンディ型コンソールなどの外部機器からの操作によって、初期のライトカーテンの光軸数や多光軸光電センサ１の個数など、ライトカーテンの初期情報を不揮発性メモリに記憶させると共に、このメモリに保存したライトカーテンの初期状態と現在のライトカーテンの状態とが同じであるか否かを判別する手段を設け、この判別手段により現在のライトカーテンの状態が初期状態とは異なる状態となったことを検出したときには、直ちに多光軸光電センサ１の表示灯を点灯又は点滅させる又は遮光信号を出力してユーザに異常を知らせるようにしてもよい。
【００４７】
（３）ユーザが多光軸光電センサ１を使ってライトカーテンを構築した後に、ライトカーテンの光軸数や多光軸光電センサ１の個数などを、パーソナルコンピュータやハンディ型コンソールユニットなどの外部機器に記憶させておき、ライトカーテンで仕切った危険エリア内のプレス機などの修理などが完了したとき又は定期的に或いはライトカーテンの電源投入時に、ライトカーテンと外部機器との間で通信することで、現在のライトカーテンの光軸数などと、外部機器に記憶してあるライトカーテンの初期状態とを比較して、現在のライトカーテンが初期状態と同じであるか否かを判定し、初期状態と異なるときには、表示灯の点灯などユーザに対してアラームを発するするようにしてもよい。
【００４８】
（４）多光軸光電センサ１、１同士の通信機能を利用し、多光軸光電センサ１に設けたメモリに記憶されている過去又は前回の接続情報と現在の接続情報と一致しているか否かを確認し、不一致のときには、多光軸光電センサ１に設けられた表示灯を点灯させるなどによりユーザに異常を知らせるようにしてもよい。この一致しているか否かの確認はライトカーテンの電源投入をトリガにしてもよいし、外部機器からの入力をトリガにしてもよい。メモリに記憶されている接続情報は、ユーザの人為的な入力操作、例えば、多光軸光電センサ１に設けたマニュアルスイッチをＯＮすることで、始めて更新できるようにするのが好ましい。
【図面の簡単な説明】
【００４９】
【図１】多光軸光電センサの外形を説明するための図である。
【図２】多光軸光電センサの端部に設けたコネクタ用接続口と、これに嵌め込んだ直列接続用のケーブルとを説明するための図である。
【図３】３組の多光軸光電センサを直列に接続して一つのライトカーテンとして動作させる接続例を示す図である。
【図４】多光軸光電センサを構成する投光器と受光器の構造を示すブロック図である。
【図５】多光軸光電センサを接続するためのケーブルと、子機を接続しないときに多光軸光電センサのコネクタ接続口を覆うコネクタカバーとを選択的に使用することを説明するための図である。
【図６】ケーブルを使って多光軸光電センサを接続するときの結線関係を説明するための図である。
【図７】多光軸光電センサの子機接続用コネクタをコネクタカバーで覆ったときの結線関係を説明するための図である。
【符号の説明】
【００５０】
１    多光軸光電センサ
５Ａ    子機接続用コネクタ開口
５Ｂ    親機又は外部出力用コネクタ開口
６    ケーブル側コネクタ
７    直列接続用の専用ケーブル
１２    コネクタカバー
１３    センサ側コネクタ
１３ｅ  直列接続認識用端子
１００    投光器
１０３    投光器制御回路
２００    受光器
２０５    受光器制御回路
２０９    遮光信号の出力回路
【図１】
2006112982.tif 000003
【図２】
2006112982.tif 000004
【図３】
2006112982.tif 000005
【図４】
2006112982.tif 000006
【図５】
2006112982.tif 000007
【図６】
2006112982.tif 000008
【図７】
2006112982.tif 000009